(57)【特許請求の範囲】
【請求項１】
ケース内に、相互に直交して配設される上下一組の回転部材を回転自在に支持すると共に、該回転部材の長手方向に開穿された長孔を貫通する操作部材が設けられ、更に、前記一組の回転部材を中心位置に保持するように付勢するスプリングと、該回転部材の各一端部に連結されて各回転部材を回転角度に対応する信号を出力する一組の信号出力手段とが設けられて成るジョイスティックであって、
前記操作部材の下端部には両側に突設した軸部が設けられ、且つ、前記下側の回転部材は、前記長孔を形成する双方の側壁部の下面中央部を略半円形に凹欠して成る支承部を設け、該支承部に前記操作部材の軸部を下方より当接して嵌合したジョイスティックに於いて、
上記操作部材に設けられている双方の軸部は、相互に大きさを異にすると共に、該軸部に対応して夫々の軸部を支承するための双方の支承部も相対的に大きさを異にしたことを特徴とするジョイスティック。
【発明の詳細な説明】
【０００１】
【発明の属する技術分野】
この発明は、ジョイスティックに関するものであり、特に、ジョイスティックの回転部材に充分な肉付けを施し、強固にして耐久性を向上させた小型のジョイスティックに関するものである。
【０００２】
【従来の技術】
従来の此種小型のジョイスティックを図７及び図８に従って説明する。図に於いて１はジョイスティックであり、該ジョイスティック１はケース２内に互いに直交する回転部材としてのアーム３，４が上下に回動自在に配置されている。そして、該アーム３，４は夫々両端部を前記ケース２に枢支されており、該アーム３，４の夫々の一先端部が信号出力手段としての可変抵抗器５，６に連結されている。
【０００３】
又、該アーム３，４の夫々の中央部には該アーム３，４の長手方向に延びる長孔７，８が開穿されており、該長孔７，８に操作部材としての操作スティック９が貫通して設けられている。そして、該操作スティック９の下端部は凸状球面部９ａに形成され、一方、前記ジョイスティック１のベース１０の中央部に凹状球面部１０ａが形成され、該凹状球面部１０ａに前記凸状球面部９ａが回動自在に載置されている。尚、前記操作スティック９の上端部にはつまみ（図示せず）が嵌合される。
【０００４】
而して、前記操作スティック９を操作すると該操作スティック９は前記凹状球面部１０ａを回動支点として回動して前記アーム３，４を回動させ、該アーム３，４に連結された可変抵抗器５，６を回動させ、該可変抵抗器５，６が前記操作スティック９の操作に応じた出力を発生する。
【０００５】
又、図８に示すように、該ジョイスティック１の操作スティック９の下方部には左右に突設された軸部１１，１１を有し、そして、該軸部１１，１１を前記下側のアーム４に開穿された長孔８を形成する双方の側壁部１２，１２の中央部に開穿された軸孔１３，１３にピン結合の方式で回動自在に嵌合され、そして、該操作スティック９とアーム３，４とが上下方向に於いて固定されている。又、前記アーム３，４を中立位置に保持するために、前記ベース１０と、下側のアーム４の下面に当接されている中心部を大きく開穿され、且つ、断面形逆凹字形であって、リング状の支持部材１４との間にコイルスプリング１５が介装されている。
【０００６】
【発明が解決しようとする課題】
上記従来例の小型のジョイスティックは操作スティックの下方部に突設されている軸部を下側の回転部材に開穿されている軸孔に弾性的に強挿し乍ら回動自在に嵌合している。
【０００７】
従って、この小型のジョイスティックをユーザーが激しく操作した場合、コイルスプリングにて中立位置に復元しようとする回転部材に激しい力が作用する。特に、操作スティックの前記軸部付近の回転部材は上方からの荷重とテコの作用により一層の負荷が加わる。そして、この負荷により回転部材が変形し、耐久性が著しく阻害されることになる。このことは、プラスチックにて成形加工された小型のジョイスティックの場合は顕著に現われる。
【０００８】
そこで、小型のジョイスティックをユーザが激しく操作しても回転部材等が変形することなく、強固にして且つ、耐久性が期待できるジョイスティックを得るために解決せられるべき技術的課題が生じてくるのであり、本発明は該課題を解決することを目的とする。
【０００９】
【課題を解決するための手段】
この発明は上記目的を達成するために提案せられたものであり、ケース内に、相互に直交して配設される上下一組の回転部材を回転自在に支持すると共に、該回転部材の長手方向に開穿された長孔を貫通する操作部材が設けられ、更に、前記一組の回転部材を中心位置に保持するように付勢するスプリングと、該回転部材の各一端部に連結されて各回転部材を回転角度に対応する信号を出力する一組の信号出力手段とが設けられて成るジョイスティックであって、
前記操作部材の下端部には両側に突設した軸部が設けられ、且つ、前記下側の回転部材は、前記長孔を形成する双方の側壁部の下面中央部を略半円形に凹欠して成る支承部を設け、該支承部に前記操作部材の軸部を下方より当接して嵌合したジョイスティックに於いて、
上記操作部材に設けられている双方の軸部は、相互に大きさを異にすると共に、該軸部に対応して夫々の軸部を支承するための双方の支承部も相対的に大きさを異にしたジョイスティックを提供するものである。
【００１０】
【発明の実施の形態】
以下、本発明の一実施の形態を図１乃至図６に従って詳述する。尚、説明の都合上、従来技術と同一構成部分も同時に説明するものとする。
図１に於いて２０はジョイスティックであり、該ジョイスティック２０は下側ケース２１内に互いに直交する上側回転部材としての上側アーム２２と、下側回転部材としての下側アーム２３とが上下に回動自在に配置されている。そして、該上側アーム２２と下側アーム２３は夫々両端部を前記ケース２１に枢支されており、該上側アーム２２と下側アーム２３の夫々一方の端部が可変抵抗器２４，２５に連結されている。
【００１１】
又、上側アーム２２及び下側アーム２３の中央部には夫々の軸方向に延びる長孔２６，２７が開穿されており、該長孔２６，２７に操作スティック２８が貫通して設けられる。そして、該操作スティック２８の下端部は凸状球面部２８ａに形成され、一方、前記ジョイスティック２０のベース２１ｂの上部中央部に凹状球面部２１ａが形成され、該凹状の球面部２１ａに前記凸状球面部２８ａが揺動自在に載置されている。尚、前記操作スティック２８の上端部にはつまみ（図示せず）が嵌合される。
【００１２】
従って、前記ジョイスティック２０に於いて、前記操作スティック２８を操作すると該操作スティック２８は前記凹状球面部２１ａを回動支点として回動し、前記上側アーム２２と下側アーム２３を回動させ、該上側アーム２２及び下側アーム２３に連結された前記可変抵抗器２４，２５を回動させ、該可変抵抗器２４，２５が前記操作スティック２８の操作に応じた出力を発生する。
【００１３】
又、前記上側アーム２２と下側アーム２３とを夫々中立位置に保持するために従来例と同様にベース２１ｂと下側アーム２３の下面に当接されているリング状の支持部材２９との間にコイルスプリング３０が介装されている。即ち、該コイルスプリング３０が該下側アーム２３を上方へ弾性的に押圧することにより、上側アーム２２と下側アーム２３は中立位置に保持されることになる。
【００１４】
更に又、操作スティック２８は図２及び図４に示すように、該操作スティック２８の下方部には従来例と同様に左右に突設された軸部３１，３１が設けられている。
【００１５】
一方、前記下側アーム２３は図２及び図６に示すように、長孔２７の左右の側壁部２３ａ，２３ａであって、該側壁部２３ａ，２３ａの中央部の下面を略半円形状に凹欠して支承部３２，３２が設けられている。従って、該支承部３２，３２は該下側アーム２３の側壁部２３ａ，２３ａに下面を開放された形式にて設けられている。而も、該支承部３２，３２は前記操作スティック２８に設けた前記軸部３１，３１の大きさに相互に対応して遊嵌される大きさに形成される。更に、該左右の軸部３１，３１は左右夫々大きさを異にし、且つ、之に対応する前記支承部３２，３２も各別に大きさを異にして形成されるを可とする。然るときは、左右各別に該軸部３１，３１が前記支承部３２，３２の夫々の下面より嵌挿されるとき、左右の方向を間違えて遊嵌しようとしても該操作スティック２８の前記軸部３１，３１は前記支承部３２，３２に嵌合することはできないので、該操作スティック２８の取付方向を誤まることはない。
【００１６】
又、該軸部３１，３１は夫々対応する前記支承部３２，３２の下面より遊挿されるので、相互の嵌合は容易に実行され、そして、該軸部３１，３１は該支承部３２，３２によって上方への移動が禁止されることになり、依って、操作スティック２８の抜け止めを兼用し、且つ、該軸部３１，３１が下側アーム２３に嵌合して回動することになる。而も、該軸部３１，３１は前記上下の回転部材である上側アーム２２及び下側アーム２３の夫々の軸と一致しており、そして、操作スティック２８は前記ベース２１ｂに設けられている凹状球面部２１ａにより押し込みが防止されている。
【００１７】
而して、前記ジョイスティック２０は組み立てミスを防止するために、組み立て方向を所定方向に規制すべく規制部が設けられ、そのために各部品形状に種々の改良が施されケース２１内に相互に組み立てられることによりジョイスティックとしての機能が円滑に発揮されるように構成されていることは当然である。
【００１８】
斯くして、本発明のジョイスティック２０の操作スティック２８は従来例のように前記下側アーム２３に開穿された軸孔に該下側アーム２３の弾性を利用して嵌合させる必要がなくなり、依って、本発明の回転部材としての下側アーム２３に充分な肉付けが可能となる。又、該下側アーム２３は操作スティック２８の移動分即ち、前記長孔２７の部位並びに前記軸部３１，３１を嵌合するための前記支承部３２，３２の部位についてのみの肉部分が取られるだけであるから、特に、該下側アーム２３は一層強固になり、耐久性が向上するのである。依って、ジョイスティック２０をユーザが激しく操作しても回転部材は変形したり、又は破損するような欠陥は一掃されることになる。又、前記軸部３１，３１に代えて該操作スティック２８の下端部に球部を設けることも考えられるが、該球部に対応して回転部材に支承部を設けたときには、該支承部相当部分の肉が大きく取られることになり、従って、回転部材を強固に維持し、耐久性を期待することは殆ど不可能となる。
【００１９】
【発明の効果】
この発明は上記一実施の形態にて詳述したように、操作部材の下端部に設けられている軸部を受け入れるために、下側の回転部材は長孔を形成する双方の側壁の下面中央部に略半円形状に形成された下面開放の支承部が設けられ、そして、該支承部に前記操作部材の軸部を下方より当接して嵌合させているので、操作スティックは従来例のように回転部材に開穿された軸孔に該回転部材の弾性を利用して嵌合させる必要がなくなり、依って、回転部材に充分な肉付けが可能となる。
【００２０】
又、該回転部材は操作スティックの移動部分、即ち、該回転部材の長手方向に設けた長孔の部位並びに操作スティックの軸部を嵌合するための下面開放の支承部の部位についてのみ肉部分が取られるだけであるから、回転部材は一層強固となり、耐久性が著しく向上する等、正に著大なる効果を奏する発明である。
そして、左右の軸部は左右夫々大きさを異にし、且つ、之に対応する前記支承部も各別に大きさを異にして形成されており、それ故、左右各別に該軸部が前記支承部の夫々の下面より嵌挿されるとき、左右の方向を間違えて遊嵌しようとしても該操作スティックの前記左右の軸部は前記支承部に嵌合することができないので、該操作スティックの取付方向を誤ることがないという特有の効用を奏することができる。
【図面の簡単な説明】
【図１】本発明の一実施の形態を示し、ジョイスティックの平面図。
【図２】図１のＢ−Ｂ線断面図。
【図３】図１のＣ−Ｃ線断面図。
【図４】操作スティックの斜面図。
【図５】（ａ）上側アームを下方から見た斜面図。
（ｂ）上側アームを上方から見た斜面図。
【図６】（ａ）下側アームを下方から見た斜面図。
（ｂ）下側アームを上方から見た斜面図。
【図７】従来例のジョイスティックを示し、その平面図。
【図８】図７のＡ−Ａ線断面図。
【符号の説明】
２０        ジョイスティック
２１        ケース
２１ａ      凹状球面部
２１ｂ      ベース
２２        上側アーム
２３        下側アーム
２３ａ      側壁部
２４，２５  可変抵抗器
２６，２７  長孔
２８        操作スティック
２８ａ      凸状球面部
２９        支持部材
３０        コイルスプリング
３１        軸部
３２        支承部
【図１】
0003925219.tif 000002
【図２】
0003925219.tif 000003
【図３】
0003925219.tif 000004
【図４】
0003925219.tif 000005
【図５】
0003925219.tif 000006
【図６】
0003925219.tif 000007
【図７】
0003925219.tif 000008
【図８】
0003925219.tif 000009